【事件の表示】
　特許第３１４３０７２号に関する訂正審判事件について、次のとおり審決する。
【結　論】
　特許第３１４３０７２号に係る明細書を本件審判請求書に添付された訂正明細書のとおり訂正することを認める。
【理　由】
１．請求の趣旨
　本件審判の請求の趣旨は、特許第３１４３０７２号発明（平成８年８月３０日特許出願、平成１２年１２月２２日設定登録）の明細書を審判請求書に添付した訂正明細書のとおり、すなわち下記（１）乃至（３）のとおり訂正することを求めるものである（下線部分が訂正箇所。）。
（１）訂正事項１
　本件特許明細書の特許請求の範囲の
「【請求項１】相互に平行に配設され、内側に開口部を介して伸縮リンクを支持する断面Ｃ字状の一対の縦格子と、前記各縦格子の下端の小口に取り付けられ、前記各縦格子同士を連結する格子キャップとを備えた伸縮門扉において、
前記各縦格子は、その下端部の前記開口部を構成する開口縁部にキャップ抜止め部を備え、
前記格子キャップは、前記小口と嵌合する嵌合部、および前記小口を下側から覆う覆装部からなる一対のキャップ部と、前記一対のキャップ部と一体に形成されこれらを相互に連結する連結部とを備え、
前記各キャップ部と前記連結部との連結部位には、前記開口縁部を押し開くようにして前記キャップ抜止め部と係合する切欠部が形成されていることを特徴とする伸縮門扉。」
を、
「【請求項１】相互に平行に配設され、内側に開口部を介して伸縮リンクを支持する断面Ｃ字状の一対の縦格子と、前記各縦格子の下端の小口に取り付けられ、前記各縦格子同士を連結する格子キャップとを備えた伸縮門扉において、
　前記各縦格子は、その下端部の前記開口部を構成する開口縁部に
切欠部と縦格子の下端に向かって開口部を徐々に拡幅させたテーパー部を有する
　前記格子キャップは、前記小口と嵌合する嵌合部、および前記小口を下側から覆う覆装部からなる一対のキャップ部と、前記一対のキャップ部と一体に形成されこれらを相互に連結する連結部とを備え、
　前記各キャップ部と前記連結部との連結部位には、前記開口縁部を
前記キャップ抜止め部のテーパー部で
と訂正する。
　
（２）訂正事項２
　本件特許明細書の段落【０００６】の
「【課題を解決するための手段】本発明に係る伸縮門扉は、相互に平行に配設され、内側に開口部を介して伸縮リンクを支持する断面Ｃ字状の一対の縦格子と、各縦格子の下端の小口に取り付けられ、各縦格子同士を連結する格子キャップとを備えた伸縮門扉において、各縦格子は、その下端部の開口部を構成する開口縁部にキャップ抜止め部を備え、格子キャップは、小口と嵌合する嵌合部、および小口を下側から覆う覆装部からなる一対のキャップ部と、一対のキャップ部と一体に形成されこれらを相互に連結する連結部とを備え、各キャップ部と連結部との連結部位には、開口縁部を押し開くようにしてキャップ抜止め部と係合する切欠部が形成されていることを特徴とする。」
を、
「【課題を解決するための手段】本発明に係る伸縮門扉は、相互に平行に配設され、内側に開口部を介して伸縮リンクを支持する断面Ｃ字状の一対の縦格子と、各縦格子の下端の小口に取り付けられ、各縦格子同士を連結する格子キャップとを備えた伸縮門扉において、各縦格子は、その下端部の開口部を構成する開口縁部に
切欠部と縦格子の下端に向かって開口部を徐々に拡幅させたテーパー部を有する
前記キャップ抜止め部のテーパー部で
と訂正する。
　
（３）訂正事項３
　本件特許明細書の段落【００１７】の
「図２は、格子体１５の下端部を拡大して示す斜視図であり、下格子キャップ１０を取り付ける前の状態を示す。この図に示すように、格子体１５の各縦格子２０は断面「Ｃ」字状に形成され、長手方向に沿って設けられた開口部２３同士が対向するように配設されている。また、開口部２３の下端の両開口縁部は、更にコ字状に切り欠かれ、この切欠部分の下端から縦格子２０の下端に向かって開口部２３を徐々に拡幅させて、キャップ抜止め部２２が形成されている。」
を、
「図２は、格子体１５の下端部を拡大して示す斜視図であり、下格子キャップ１０を取り付ける前の状態を示す。この図に示すように、格子体１５の各縦格子２０は断面「Ｃ」字状に形成され、長手方向に沿って設けられた開口部２３同士が対向するように配設されている。また、開口部２３の下端の両開口縁部は、更にコ字状に切り欠かれ、この切欠部分の下端から縦格子２０の下端に向かって開口部２３を徐々に拡幅させ
る部分、つまりテーパー部を有する
と訂正する。
　
２．当審の判断
　そこで、これらの訂正事項について以下検討する。
　
２−１．訂正の目的の適合性について
（１）訂正事項１について
　訂正事項１は、請求項１に係る発明を特定するための事項である「キャップ抜止め部」を「切欠部と縦格子の下端に向かって開口部を徐々に拡幅させたテーパー部を有する」ものであると限定し、キャップ抜止め部の開口縁部をキャップ抜止め部のテーパー部で押し開くようにして、格子キャップの連結部位に形成された切欠部とキャップ抜止め部とを係合することを限定したものであり、特許請求の範囲の減縮に該当する。
　
（２）訂正事項２、３について
　訂正事項２、３は、【発明の詳細な説明】の記載を訂正後の特許請求の範囲の請求項１に係る記載に整合させるものであり、当該訂正は、明りょうでない記載の釈明に該当する。
　
（３）したがって、訂正事項１は、特許請求の範囲の減縮を目的とする訂正に該当し、訂正事項２及び３は、明りょうでない記載の釈明を目的とする訂正に該当するものである。
　
２−２．新規事項の追加の有無について
　本願の願書に添付された明細書には、以下の記載がある。
「図２は、格子体１５の下端部を拡大して示す斜視図であり、下格子キャップ１０を取り付ける前の状態を示す。この図に示すように、格子体１５の各縦格子２０は断面「Ｃ」字状に形成され、長手方向に沿って設けられた開口部２３同士が対向するように配設されている。また、開口部２３の下端の両開口縁部は、更にコ字状に切り欠かれ、この切欠部分の下端から縦格子２０の下端に向かって開口部２３を徐々に拡幅させて、キャップ抜止め部２２が形成されている。」（段落【００１７】）
　
「次いで、下格子キャップ１０を、両縦格子２０，２０の下端部の両小口２０ａ，２０ａに取り付ける。まず、下格子キャップ１０における両キャップ部１１，１１の嵌合部１１ａ，１１ａを、両縦格子２０，２０の小口２０ａ，２０ａにそれぞれ嵌合させる。この場合、縦格子２０のキャップ抜止め部２２が下格子キャップ１０の切欠き１３に係合しつつ、押し開かれ、嵌合部１１ａが小口２０ａの奥まで嵌合されると、小口２０ａが覆装部１２の上面１２ａと当接し、キャップ抜止め部２２の先端部が切欠き１３の下部の貫通孔１３ａに嵌まり込むとともに、キャップ抜止め部２２が元の状態に戻って、下格子キャップ１０が両縦格子２０，２０に取り付けられる。このようにして、格子体１５に伸縮リンク６が装着され、さらに伸縮リンク６の両端に端部材４，４を、所定の格子体１５の下端にキャスタ７を取り付け、一方の端部材４を支柱部材２に取り付けて、伸縮門扉１が完成する。」（段落【００２２】）
　
（１）訂正事項１について
　訂正事項１のキャップ抜止め部が「切欠部と縦格子の下端に向かって開口部を徐々に拡幅させたテーパー部を有する」点は、上記段落【００１７】の「開口部２３の下端の両開口縁部は、更にコ字状に切り欠かれ、この切欠部分の下端から縦格子２０の下端に向かって開口部２３を徐々に拡幅させて、キャップ抜止め部２２が形成されている」という記載及び図２に基づく訂正である。
　同じく、切欠部が「開口縁部をキャップ抜止め部のテーパー部で押し開くようにして」キャップ抜止め部と係合する点は、上記段落【００２２】の「縦格子２０のキャップ抜止め部２２が下格子キャップ１０の切欠き１３に係合しつつ、押し開かれ、」という記載及び図２に基づく訂正である。
　
（２）訂正事項２、３について
　訂正事項２、３は、【発明の詳細な説明】の記載を訂正後の特許請求の範囲の請求項１に係る記載に整合させるものであり、その訂正内容は訂正事項１と同様であるから、訂正事項２、３も、上記段落【００１７】及び【００２２】の記載、並びに図２に基づく訂正である。
　
（３）したがって、訂正事項１乃至３は、願書に添付された明細書又は図面に記載された事項の範囲内の訂正である。
　
２−３．特許請求の範囲の実質的な拡張又は変更の有無について
（１）特許請求の範囲の請求項１に係る発明は、伸縮門扉において、縦格子の剛性を高めるために、縦格子の下端の小口に格子キャップを備え、該格子キャップを縦格子の小口にワンタッチで取り付けができるようにして施工性を良好とすることを一つの目的とするものであって、そのために、縦格子の開口縁部にキャップ抜止め部を設け、格子キャップに開口縁部を押し開くようにして係合する切欠部を設けたものである。そして、訂正事項１は、上記目的を達成するためのキャップ抜止め部の構成をより具体的に限定したものであって、訂正前の特許請求の範囲の請求項１に係る発明に、新たな構成要件を付加するものではない。
　
（２）よって、本件訂正は、実質上特許請求の範囲を拡張し、又は変更するものでもない。
　
２−３．独立特許要件について
　訂正後における特許請求の範囲の請求項１に係る発明（以下、「本件訂正発明」という。）が、特許出願の際独立して特許を受けることができる発明であるか否かについて検討する。
　本件訂正発明は、開口縁部に切欠部と縦格子の下端に向かって開口部を徐々に拡幅させたテーパー部を有するキャップ抜止め部を備え、開口縁部をキャップ抜止め部のテーパー部で押し開くようにしているが、請求人が甲第１号証として提示した実願昭５２−５５８９２号（実開昭５３−１５００２６号）のマイクロフィルム、同じく甲第２号証として提示した実公平７−７５２０号公報のいずれにも、上記の点は記載されておらず、またこの点は、甲第１及び２号証に記載された発明に基づき、当業者が容易になし得たものでもない。
　そして、他に本件訂正発明が、特許出願の際独立して特許を受けることができないとする理由も見あたらない。
　
　よって、本件訂正発明は、特許出願の際独立して特許を受けることができるものである。
　
３．むすび
　したがって、上記訂正は、特許請求の範囲の減縮、明りょうでない記載の釈明を目的とし、いずれも、願書に添付した明細書又は図面に記載されている事項の範囲内のものであり、実質上特許請求の範囲を拡張し、又は変更するものではない。
　以上のとおりであるから、上記訂正は、特許法第１２６条第１項ないし３項の規定に適合するので、当該訂正を認める 
　
　よって、結論のとおり審決する。